【手続補正書】
【提出日】平成25年5月29日(2013.5.29)
【手続補正１】
【補正対象書類名】特許請求の範囲
【補正対象項目名】全文
【補正方法】変更
【補正の内容】
【特許請求の範囲】
【請求項１】
顧客の店舗への来店を、当該顧客が保持する携帯端末を用いて受け付ける来店受付システムであって、
前記店舗内に設置され、前記携帯端末と非接触通信可能な情報提供装置と、
前記顧客の来店に関する情報を管理するための管理手段と、
を備え、
前記情報提供装置は、前記携帯端末に対しリダイレクト接続位置情報を接続先とする第１接続指示を送信する第１接続指示送信手段を有し、
前記管理手段は、
前記リダイレクト位置情報を接続先とする前記携帯端末からの第１接続要求を受信したとき、当該第１接続要求に当該携帯端末を識別するための識別情報が含まれている場合に、前記携帯端末から受信した当該携帯端末の前記識別情報を特定可能な識別子を付加した形で来店受付用の接続位置情報を接続先とする第２接続指示を作成する第２接続指示作成手段と、
前記第２接続指示作成手段が作成した前記第２接続指示を前記携帯端末に送信する第２接続指示送信手段と、
前記携帯端末から受信した前記第２接続要求に付加された識別子から前記識別情報を取得する第１の識別情報取得手段と、
前記第２接続要求から前記携帯端末の識別情報を直接取得する第２の識別情報取得手段と、
前記第１の識別情報取得手段が取得した識別情報と、前記第２の識別情報取得手段が取得した識別情報とを照合する照合手段と、
を有する来店受付システム。
【請求項２】
前記管理手段は、
所定の顧客の携帯端末の前記識別情報を記憶する識別情報記憶手段と、
第２接続要求受信手段が第２接続要求を受信したとき、前記照合手段による照合の結果前記２つの識別情報が一致し、かつ前記第２識別情報取得手段が取得した前記識別情報が前記識別情報記憶手段に記憶されていることを条件として、前記携帯端末を保持する顧客に対し所定の特典を付与する特典付与手段とをさらに含む、請求項１記載の来店受付システム。
【請求項３】
前記管理手段は、
第２接続指示作成手段によって作成された前記識別子を暗号化する暗号化手段と、
前記第２接続要求に含まれる前記識別子を復号する復号手段と、
を有し、
前記第１の識別情報取得手段が、前記復号手段によって復号された前記識別子に基づいて前記識別情報を取得する、請求項１または２に記載の来店受付システム。
【請求項４】
前記所定の特典が、顧客に対し所定の特典価値を付与するものであり、
前記来店受付システムが、顧客が有する前記特典価値を、当該顧客が保持する前記携帯端末の前記識別情報に対応付けて記憶して管理する特典情報管理手段をさらに含み、
前記特典付与手段は、前記特典情報管理手段に記憶されている当該顧客の前記特典価値に対し所定の特典価値を付加する手段を含む、請求項２または３に記載の来店受付システム。
【請求項５】
前記携帯端末は画像を表示するための表示部を有しており、
前記管理手段は、
前記特典付与手段から前記顧客に付与される特典の内容を前記表示部に表示するための表示データを作成する特典データ作成手段と、
前記表示データ作成手段によって作成された表示データを、前記携帯端末に送信する表示データ送信手段とをさらに含む、請求項２〜４のいずれか一項に記載の来店受付システム。
【請求項６】
インターネット回線を通して携帯端末と通信可能に設けられたリダイレクト装置であって、
前記リダイレクト装置のインターネット上の位置であるリダイレクト位置情報を接続先とする前記携帯端末からの第１接続要求を受信したとき、当該第１接続要求に当該携帯端末を識別するための識別情報が含まれている場合に、前記携帯端末から受信した当該携帯端末の前記識別情報を特定可能な識別子を付加した形で来店受付用の接続位置情報を接続先とする第２接続指示を作成する第２接続指示作成手段と、
前記第２接続指示作成手段が作成した前記第２接続指示を前記携帯端末に送信する第２接続指示送信手段とを含む、リダイレクト装置。
【手続補正２】
【補正対象書類名】明細書
【補正対象項目名】０００７
【補正方法】変更
【補正の内容】
【０００７】
請求項１記載の発明は、顧客の店舗への来店を、当該顧客が保持する携帯端末を用いて受け付ける来店受付システムであって、前記店舗内に設置され、前記携帯端末と非接触通信可能な情報提供装置と、前記顧客の来店に関する情報を管理するための管理手段と、を備え、前記情報提供装置は、前記携帯端末に対しリダイレクト接続位置情報を接続先とする第１接続指示を送信する第１接続指示送信手段を有し、前記管理手段は、前記リダイレクト位置情報を接続先とする前記携帯端末からの第１接続要求を受信したとき、当該第１接続要求に当該携帯端末を識別するための識別情報が含まれている場合に、前記携帯端末から受信した当該携帯端末の前記識別情報を特定可能な識別子を付加した形で来店受付用の接続位置情報を接続先とする第２接続指示を作成する第２接続指示作成手段と、前記第２接続指示作成手段が作成した前記第２接続指示を前記携帯端末に送信する第２接続指示送信手段と、前記携帯端末から受信した前記第２接続要求に付加された識別子から前記識別情報を取得する第１の識別情報取得手段と、前記第２接続要求から前記携帯端末の識別情報を直接取得する第２の識別情報取得手段と、前記第１の識別情報取得手段が取得した識別情報と、前記第２の識別情報取得手段が取得した識別情報とを照合する照合手段と、を有する来店受付システムである。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】変更
【補正の内容】
【００１１】
請求項２記載の発明は、前記管理手段は、所定の顧客の携帯端末の前記識別情報を記憶する識別情報記憶手段と、第２接続要求受信手段が第２接続要求を受信したとき、前記照合手段による照合の結果前記２つの識別情報が一致し、かつ前記第２識別情報取得手段が取得した前記識別情報が前記識別情報記憶手段に記憶されていることを条件として、前記携帯端末を保持する顧客に対し所定の特典を付与する特典付与手段とをさらに含む、請求項１記載の来店受付システムである。
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】変更
【補正の内容】
【００１３】
請求項３記載の発明は、前記管理手段は、第２接続指示作成手段によって作成された前記識別子を暗号化する暗号化手段と、前記第２接続要求に含まれる前記識別子を復号する復号手段と、を有し、前記第１の識別情報取得手段が、前記復号手段によって復号された前記識別子に基づいて前記識別情報を取得する、請求項１または２に記載の来店受付システムである。
【手続補正９】
【補正対象書類名】明細書
【補正対象項目名】００１４
【補正方法】変更
【補正の内容】
【００１４】
請求項４記載の発明は、前記所定の特典が、顧客に対し所定の特典価値を付与するものであり、前記来店受付システムが、顧客が有する前記特典価値を、当該顧客が保持する前記携帯端末の前記識別情報に対応付けて記憶して管理する特典情報管理手段をさらに含み、前記特典付与手段は、前記特典情報管理手段に記憶されている当該顧客の前記特典価値に対し所定の特典価値を付加する手段を含む、請求項２または３に記載の来店受付システムである。
【手続補正１０】
【補正対象書類名】明細書
【補正対象項目名】００１５
【補正方法】変更
【補正の内容】
【００１５】
請求項５記載の発明は、前記携帯端末は画像を表示するための表示部を有しており、前記管理手段は、前記特典付与手段から前記顧客に付与される特典の内容を前記表示部に表示するための表示データを作成する特典データ作成手段と、前記表示データ作成手段によって作成された表示データを、前記携帯端末に送信する表示データ送信手段とをさらに含む、請求項２〜４のいずれか一項に記載の来店受付システムである。
【手続補正１１】
【補正対象書類名】明細書
【補正対象項目名】００１６
【補正方法】変更
【補正の内容】
【００１６】
請求項６記載の発明は、インターネット回線を通して携帯端末と通信可能に設けられたリダイレクト装置であって、前記リダイレクト装置のインターネット上の位置であるリダイレクト位置情報を接続先とする前記携帯端末からの第１接続要求を受信したとき、当該第１接続要求に当該携帯端末を識別するための識別情報が含まれている場合に、前記携帯端末から受信した当該携帯端末の前記識別情報を特定可能な識別子を付加した形で来店受付用の接続位置情報を接続先とする第２接続指示を作成する第２接続指示作成手段と、前記第２接続指示作成手段が作成した前記第２接続指示を前記携帯端末に送信する第２接続指示送信手段とを含む、リダイレクト装置である。
請求項１〜６に記載の発明によれば、高い精度で本人照合を実現できる来店受付システムおよびこれに用いられるリダイレクト装置を提供することができる。
【手続補正１２】
【補正対象書類名】明細書
【補正対象項目名】００１７
【補正方法】削除
【補正の内容】